(57)【要約】【課題】簡単に作業性よく、片持ち階段の片側の壁体に化粧壁紙を貼着する方法を提供する。【解決手段】本発明は、壁体に植設された支持ボルト３に片持ち支持される支持具１とこの支持具１に着脱自在に被装される箱型踏み段４とからなる片持ち階段において、上記片持ち階段の片側の壁体を化粧する方法であって、上記壁体に突出した支持ボルト３の化粧壁紙６の当接部周辺を切り欠いた後、該化粧壁紙６を壁体に貼着する片持ち階段の壁体の化粧方法である。又、上記壁体が下地材と片持ち階段の側板とからなり、上記支持ボルトが該側板に植設されたものである片持ち階段の壁体の化粧方法である。【選択図】図３
2006265846.tif 000002
【特許請求の範囲】
【請求項１】
壁体に植設された支持ボルトに片持ち支持される支持具とこの支持具に着脱自在に被装される箱型踏み段とからなる片持ち階段において、上記片持ち階段の片側の壁体を化粧する方法であって、上記壁体に突出した支持ボルトの化粧壁紙の当接部周辺を切り欠いた後、該化粧壁紙を壁体に貼着する片持ち階段の壁体の化粧方法。
【請求項２】
上記壁体が下地材と片持ち階段の側板とからなり、上記支持ボルトが該側板に植設されたものである片持ち階段の壁体の化粧方法。
【請求項３】
上記支持具の上面にダボを突設するとともに、上記箱型踏み段の踏み板部裏面には、上記ダボが着脱自在に嵌合する凹部が設けられている請求項１に記載の片持ち階段の壁体の化粧方法。
【請求項４】
上記支持具が支持ボルトとナットにより壁体に着脱自在に固定される請求項１に記載の片持ち階段の壁体の化粧方法。
【発明の詳細な説明】
【技術分野】
【０００１】
本発明は化粧壁紙を貼着する方法に関する。さらに詳しくは、片持ち階段の片側の壁体に化粧壁紙を貼着する方法に関する。
【背景技術】
【０００２】
従来、片持ち式の階段としては、建物とは別に施工現場で自由に設置される組立式の階段が知られている。下記特許文献１には、設置床面積が少なく、工場において製作、組み立てられ、ユニット化された部品を施工現場で迅速かつ効率的に組み上げてらせん式の片持ち階段とする組立式の階段が開示されている。
【特許文献１】登録実用新案公報、第３０３４２３６号（第１〜２頁、第１図、第４図、第７図）
【発明の開示】
【発明が解決しようとする課題】
【０００３】
一方、屋内に設けられ、片側の壁体に片持ち支持される階段において、上記壁体に化粧壁紙を貼着するとき、踏み段の取り付け部の形状に沿って隙間が空かないように、予め化粧壁紙を切り欠く必要がある。しかしながら、上記した形状となるように綺麗にカットするには職人の熟練した技が必要となり、また、このように切り欠かれた化粧壁紙を壁体に貼着するのは手間がかかり、作業性が悪いという問題がある。本発明は、上記問題を解決して、踏み段の壁体への取り付け部の形状に合わせて予め化粧壁紙を切り欠く必要がなく、簡単に作業性よく、片持ち階段の片側の壁体に化粧壁紙を貼着する方法を提供することをその課題とする。
【課題を解決するための手段】
【０００４】
上記課題を解決するために、本発明においては、つぎのような技術的手段を講じている。すなわち、本発明によれば、壁体に植設された支持ボルトに片持ち支持される支持具とこの支持具に着脱自在に被装される箱型踏み段とからなる片持ち階段において、上記片持ち階段の片側の壁体を化粧する方法であって、上記壁体に突出した支持ボルトの化粧壁紙の当接部周辺を切り欠いた後、該化粧壁紙を壁体に貼着する片持ち階段の壁体の化粧方法が提供される。上記壁体としては、合板等の下地材、片持ち階段の側板等をあげることができる。
【０００５】
上記支持具の上面にダボを突設するとともに、上記箱型踏み段の踏み板部裏面には、上記ダボが着脱自在に嵌合する凹部が設けられることが好ましい。また、上記支持具が支持ボルトとナットにより壁体に着脱自在に固定され、片持ち支持されることが好ましい。
【発明の効果】
【０００６】
請求項１に記載の発明は上記のとおりであり、上記壁体に突出した支持ボルトの化粧壁紙の当接部周辺を切り欠いた後、該化粧壁紙を壁体に貼着するため、踏み段の取り付け部の形状に合わせて化粧壁紙を綺麗にカットする必要はなく、大まかに、支持ボルトが露出する程度に切り欠けばよく、作業性よく化粧壁紙を貼着することができる。
【０００７】
上記壁体を下地材と片持ち階段の側板とから構成し、上記支持ボルトを該側板に植設することにより、上記支持具をしっかりと上記側板に固定することができる。
【０００８】
上記支持具の上面にダボを突設するとともに、上記箱型踏み段の踏み板部裏面には、上記ダボが着脱自在に嵌合する凹部が設けられているため、踏み板に傷が付いたときや、化粧壁紙を貼り替えるときは、ダボと凹部との嵌合を解除することにより、上記箱型踏み段を支持具から外すことが可能であり、容易にメンテナンスや模様替えをすることができる。
【０００９】
上記支持具が支持ボルトとナットにより壁体に着脱自在に固定され、片持ち支持されているため、化粧壁紙を貼り替えたいときは、支持ボルトとナットとの螺合を解除することにより、容易に支持具を取り外すことができ、壁体に新しい化粧壁紙を貼着することができる。
【発明を実施するための最良の形態】
【００１０】
以下、本発明の実施形態について図面を参照して、詳細に説明する。図１は、本発明の片持ち階段の壁体の化粧方法にかかる支持具１と片持ち階段の片側の壁体とを示す分解斜視図である。図１において、上記壁体は下地材５と該下地材５に介装された片持ち階段の側板２とからなり、上記支持具１は補強部１１によって補強され、該支持具１に設けた固定用ビス孔１３に上記側板２に植設された支持ボルト３を挿入しナット３１で締め付けることによって固定され、片持ち支持される。図２は上記支持具１に着脱自在に被装される箱型踏み段４を示す。この箱型踏み段４の踏み板部４１の裏面には、支持具１に形成されたダボ１２と嵌合する後記図４に示す凹部４１１が設けられている。
【００１１】
図３は、本発明にかかる片持ち階段の壁体の化粧方法において化粧壁紙を壁体に貼着した状態を説明する説明図である。図３において、片持ち階段の側板２に植設された支持ボルト３と上記支持具１とは固定用ビス孔１３を挿通した支持ボルト３をナット３１で締め付けることにより着脱自在にしっかりと固定される。
【００１２】
図３からよくわかるように、化粧壁紙６の支持ボルト３の当接部周辺は大まかに、支持ボルト３が露出するように切り欠かれているため、支持具１を取り付けていない状態では、容易に化粧壁紙６を貼着することができる。化粧壁紙６を貼着した後、支持具１の固定用ビス孔１３に支持ボルト３を挿入し、ナット３１で締め付けることによって支持具１はしっかりと固定され、片持ち支持される。図４は、上記のようにして壁体に化粧壁紙６を貼着し、支持具１を取り付けた後、箱型踏み段４を装着した状態を示す側断面図である。
【００１３】
図４からよくわかるように、階段の片側の側板２と下地材５とからなる壁体の全面が化粧壁紙６によって、簡単に、きれいに貼着されていることが明らかである。なお、化粧壁紙６を張り替えたい場合は、ダボ１２と凹部４１１との嵌合を解除して、上記箱型踏み段４を支持具１から外すとともに、支持ボルト３とナット３１との螺合を解除して支持具１を取り外し、新しい化粧壁紙と張り替えればよい。このように、本発明にかかる片持ち階段の壁体の化粧方法を用いれば、化粧壁紙６の張り替え等、模様替えも容易に行うことができる。
【図面の簡単な説明】
【００１４】
【図１】本発明にかかる片持ち階段の支持具と片側の壁体を示す分解斜視図である。
【図２】本発明にかかる片持ち階段の箱型踏み段を示す斜視図である。
【図３】本発明にかかる片持ち階段の壁体の化粧方法を説明する説明図である。
【図４】本発明の片持ち階段の壁体の化粧方法を実施した状態を示す側断面図である。
【符号の説明】
【００１５】
１          支持具
１１        補強部
１２        ダボ
１３        固定用ビス孔
２          側板
３          支持ボルト
３１        ナット
４          箱型踏み段
４１        踏み板部
４１１      凹部
５          下地材
６          化粧壁紙
【図１】
2006265846.tif 000003
【図２】
2006265846.tif 000004
【図３】
2006265846.tif 000005
【図４】
2006265846.tif 000006